(57)【要約】【課題】人や物の行動や移動を安価に追跡できる行動記録システムを提供する提供する。【解決手段】行動記録システムは、移動体の各々に保持され、ＩＤ番号を有し、トリガー信号を出力する移動体ブロック１１と、所定の位置に固定して配置され、トリガー信号に応答して、ＩＤを出力する複数の固定位置タグブロック４０ａ〜４０ｄとを含む。固定位置タグブロック４０ａ〜４０ｄは移動体ブロック１１のＩＤ番号を受信するフェライトコイルと、フェライトコイルが受信したＩＤ番号を記録する記録メモリとを含む。【選択図】図１
2010231577.tif 000002
【特許請求の範囲】
【請求項１】
移動体の各々に保持され、固有のＩＤ番号を含むトリガー信号を出力する移動体ブロックと、
それぞれが異なる固有のＩＤ番号を有する複数のデータ収集ブロックとを含み、
前記データ収集ブロックは
移動体ブロックのトリガー信号に応答して前記移動体ブロックの固有のＩＤ番号を受信する受信手段と、 
前記受信手段が受信したＩＤ番号を記録する記録手段とを含む、行動記録システム。
【請求項２】
前記データ収集ブロックは、前記受信手段が受信したＩＤ番号を外部へ出力するＩＤ番号出力手段を含む、請求項１に記載の行動記録システム。
【請求項３】
前記データ収集ブロックは所定の位置に固定されている、請求項１または２に記載の行動記録システム。
【請求項４】
前記データ収集ブロックは移動可能である、請求項１または２に記載の行動記録システム。
【請求項５】
前記データ収集ブロックは時刻を測定する計時手段を有し、前記記録手段は、前記移動体ブロックのＩＤ番号を受信した時刻を合わせて記録する、請求項１から４のいずれかに記載の行動記録システム。
【請求項６】
固有のＩＤ番号を含むトリガー信号を出力するトリガー信号出力手段を含み、
前記トリガー信号出力手段は、前記トリガー信号を断続的に出力する、移動体ブロック。
【請求項７】
固有のＩＤ番号を含むトリガー信号を出力する移動体ブロックからのトリガー信号を検出するトリガー信号検出手段と、
前記トリガー信号検出手段が検出したトリガー信号の中からＩＤ番号を抽出する抽出手段と、
前記抽出手段が抽出したＩＤ番号を記録する記録手段とを含む、データ収集ブロック。
【発明の詳細な説明】
【技術分野】
【０００１】
この発明は行動記録システム、移動体ブロック、および、データ収集ブロックに関し、特に人や物の移動実績を容易に知ることができる行動記録システム、移動体ブロック、および、データ収集ブロックに関する。
【背景技術】
【０００２】
従来の人の行動を記録するシステムとして、たとえば、イベント等への入場者管理システムが下記特許文献１に開示されている。同特許文献によれば、イベント会場に設けられた入場者管理装置が所定のトリガー信号を出力し、これに入場者が有するＩＤタグが反応して自分のＩＤ番号を出力し、この入場者のＩＤ番号を入場者管理装置が格納している。
【先行技術文献】
【特許文献】
【０００３】
【特許文献１】特開２００４−０９４８９１号公報（要約）
【発明の概要】
【発明が解決しようとする課題】
【０００４】
従来の人の行動を記録するシステムは上記のように構成されていた。入場者管理装置は所定のトリガー信号を出力するとともに、受信した入場者のＩＤ番号を収集する必要があるため、入場者管理装置自身、装置の設置と配線にコストがかかるという問題点があった。
【０００５】
この発明は上記のような問題点を解消するためになされたもので、人の行動や物の移動を簡易に短期間で設置できるとともに安価に追跡できる行動記録システム、移動体ブロック、および、データ収集ブロックを提供することを目的とする。
【課題を解決するための手段】
【０００６】
この発明に係る行動記録システムは、移動体の各々に保持され、固有のＩＤ番号を含むトリガー信号を出力する移動体ブロックと、それぞれが異なる固有のＩＤ番号を有する複数のデータ収集ブロックとを含み、データ収集ブロックは、移動体ブロックのトリガー信号に応答して前記移動体ブロックの固有のＩＤ番号を受信する受信手段と、受信手段が受信したＩＤ番号を記録する記録手段とを含む。
【０００７】
好ましくは、データ収集ブロックは、受信手段が受信したＩＤ番号を外部へ出力するＩＤ番号出力手段を含む。
【０００８】
データ収集ブロックは所定の位置に固定されていてもよいし、移動可能であってもよい。データ収集ブロックは時刻を測定する計時手段を有し、記録手段は、移動体ブロックのＩＤ番号を受信した時刻を合わせて記録するのが好ましい。
【０００９】
この発明の他の局面においては、移動体ブロックは、固有のＩＤ番号を含むトリガー信号を出力するトリガー信号出力手段を含み、出力手段は、トリガー信号を断続的に出力する。
【００１０】
この発明のさらに他の局面においては、データ収集ブロックは、固有のＩＤ番号を含むトリガー信号を出力する移動体ブロックからのトリガー信号を検出するトリガー信号検出手段と、トリガー信号検出手段が検出したトリガー信号の中からＩＤ番号を抽出する抽出手段と、抽出手段が抽出したＩＤ番号を記録する記録手段とを含む。
【発明の効果】
【００１１】
移動体の有する移動体ブロックがトリガー信号を出力しながら移動したとき、トリガー信号に応答して、所定の位置に固定して設けられたデータ収集ブロックが場所を特定するＩＤ番号を出力し、これを移動体ブロックのＩＤと合わせてデータ収集ブロックで受信して記録するため、従来のように位置を特定するための装置にトリガー信号を出力する機能を設ける必要が無い。また、トリガーの出す信号に起動されるため常時電源を消費せず動作しても短い時間ですむため電池を用いて長期間の駆動が可能となる。その結果、人の行動や物の移動を簡易に短期間で設置できるとともに安価に追跡できる行動記録システム、それ用のデータ処理ブロック、および、位置特定用固定用ＩＤタグを提供できる。
【図面の簡単な説明】
【００１２】
【図１】この発明の一実施の形態に係る行動記録システムの要部を示す図である。
【図２】固定位置タグブロックの構成を示すブロック図である。
【図３】移動体ブロックの有するトリガーブロックの構成を示すブロック図である。
【図４】移動体ブロックの有するタグブロックの構成を示すブロック図である。
【図５】行動記録システムにおける移動体ブロックと固定位置タグブロックとの動作を示すフローチャートである。
【図６】この発明の他の実施の形態を示す図である。
【図７】磁界を検出する機能を有さない場合の移動体ブロック１１の具体的動作を示すフローチャートである。
【図８】磁界を検出する機能を有する場合の移動体ブロック１１の具体的動作を示すフローチャートである。
【図９】磁界を検出する機能を有する場合の移動体ブロック１１の具体的動作を示すフローチャートである。
【発明を実施するための形態】
【００１３】
以下、この発明の実施の形態を、図面を参照して説明する。図１はこの発明の一実施の形態に係る行動記録システムの要部を示す図である。
【００１４】
図１を参照して、行動記録システム１０は、例えば床面等の所定の位置に固定して設けられた複数の固定位置タグブロック（データ収集ブロック）４０ａ〜４０ｄと、移動体が保持して移動する移動体ブロック１１とを含む。移動体ブロック１１は通常のタグとして作動するタグブロック２０と、他のブロックを作動させるトリガー信号を出力するトリガーブロック３０とを含む。
【００１５】
移動体ブロック１１は移動体ブロック１１固有のＩＤ番号を含むトリガー信号５１を出力し、そのトリガー信号によって固定位置タグブロック４０が起動される。固定位置タグブロック４０は、場所を特定するＩＤを有する。
【００１６】
ここでは、固定位置タグブロック４０ａはＩＤ００１を有し、固定位置タグブロック４０ｂはＩＤ００２を有し、固定位置タグブロック４０ｃはＩＤ００３を有し、固定位置タグブロック４０ｄはＩＤ００４を有する。また、移動体ブロック１１はＩＤとしてＴＩＤ(Trigger ID)１００１を有している。
【００１７】
図２は固定位置タグブロック４０の全体構成を示すブロック図である。図２を参照して、固定位置タグブロック４０は、それぞれがＸ軸，Ｙ軸，および、Ｚ軸の相互に直交した三軸に延在するフェライトコイルからなる磁界検出コイル４１ａ〜４１ｃと、磁界検出コイル４１ａ〜４１ｃにおいて所定の磁界を検出および検波する磁界検出および検波回路４２ａ〜４２ｃと、磁界検出および検波回路４２ａ〜４２ｃからの信号を入力する磁界検出部４３と、磁界検出部４３で検出した信号に基づいて磁界の検出、レベルの計算、記録動作を行なうＭＰＵ（Micro Processing Unit）４４と、ＭＰＵ４４に接続されたＦＳＫ（Frequency Shift Keying）変調高周波を出力する高周波出力回路４５と、１秒を刻む単純なカウンタや電波時計またはＧＰＳ(Global Positioning System)等に基づいて時刻を生成する時刻生成回路４６と、データを格納する記録メモリ４７と、高周波出力回路４５に接続され、移動体ブロック１１からのＩＤ番号が含まれたトリガー信号を検出したときに、自分の有する固有ＩＤを時刻生成回路４６で生成された時刻とともに出力する送信アンテナ４８とを含み、電池４９で駆動される。
【００１８】
ここで磁界検出コイル４１ａ〜４１ｃは受信手段として、時刻生成回路４６は計時手段として、記録メモリ４７は記録手段として作動し、高周波出力回路４５と送信アンテナ４８とはＩＤ番号出力手段として作動する。
【００１９】
図３は移動体ブロック１１の有するトリガーブロック３０を示す図である。図３を参照して、トリガーブロック３０はブロック全体を制御するＭＰＵ３１と、出力する周期の設定が可能な高周波磁界を定期的に発生するトリガー回路３２と、時刻生成装置４６と同様の時刻生成回路３３とを含む。なお、データを格納するデータメモリを含んでもよい。トリガー回路３２はトリガー信号出力手段として作動する。
【００２０】
また、ＭＰＵ３１は、後に説明するタグブロック２０のＭＰＵ２４が兼ねて、移動体ブロック１１のＭＰＵを１個としてもよい。
【００２１】
トリガー回路３２は断続的にトリガー信号を発生する。発生される高周波磁界にはＯＯＫ（On-Off Keying）あるいはＡＳＫ(Amplitude Shift Keying)で符号化された移動体ブロック１１に固有のＩＤが含まれている。トリガー回路３２は高周波磁界発生時以外の休止時には殆ど電流を消費しない。
【００２２】
一方、高周波磁界を検出してその中に含まれるＩＤを検出する機能を有するタグブロック２０はトリガー回路３２が動作しているときは完全休止している。トリガー回路３２が休止している間は高周波磁界を検出するために待機している。タグブロック２０は待機中に外部のトリガー信号を検出し、その中にトリガーＩＤ（TID）を検出するとそのＩＤ（ＴＩＤ）とタグブロック２０の自己のＩＤをペアにし無線信号として後に説明する送信アンテナ２８から送信する。
【００２３】
なお、トリガー信号となるトリガー磁界は到達距離が短く設定されているので信号同士の衝突はもともと少ない。しかしながら、トリガー磁界が同時に発信されると互いに衝突してデータが変わったり、消えたりする恐れがあるため、トリガー磁界の発信される順番を決めるのが好ましい。そこで、この実施の形態においては、固定位置タグブロック４０の磁界検出回路４２ａ〜４２ｄにより順序を自動構成させることが可能である。
【００２４】
すなわち、タグブロック２０はトリガー信号を出力しないときは、他のトリガー信号を検出するため、微妙なタイミングの差があれば、トリガー信号同士の衝突を回避できる。
【００２５】
固定位置タグブロック４０ａ〜４０ｄの送信アンテナ４８から送信されたデータは外部の上位装置（コンピュータ等、図１で管理装置６０で示す）の受信装置で受信し、データをトリガーＩＤとタグＩＤに時間情報を付加した情報としてさらに上位のシステムにＬＡＮやＲＳ２３２Ｃなどの通信手段を通じて送信してもよい。
【００２６】
次に、固定位置タグブロック４０ａ〜４０ｄは、移動体ブロック１１から出力される高周波磁界（トリガー信号）を検出してその中に含まれるＩＤを検出する機能を有する。すなわち、待機中に移動体ブロック１１からのトリガー信号で起き上がり、その中にトリガーＩＤを検出すると受信したＴＩＤと自己の時計の時刻をペアにし、メモリに記憶するまたは／およびそのＴＩＤとタグの自己のＩＤをペアにし無線信号として送信する。この状態を図１において、固定位置タグブロック４０ｂが「ＩＤ００２（固定位置タグブロック４０ｂのＩＤ）＋ＴＩＤ１００１（移動体ブロック１１のタグＩＤ）」の対として無線信号５２を出力している状態として示す。
【００２７】
無線送信されたデータは外部の管理装置６０の受信装置で受信し、データをトリガーＩＤとタグＩＤに時間情報を付加して上位にＬＡＮやＲＳ２３２Ｃなどの通信手段を通じて送信する。蓄積された記録メモリ４７のデータは、図示のない別途準備されたリーダのような読み取り手段により管理装置６０のような上位のシステムにより利用されてもよい。読み取り手段はメモリを取り外し上位システムのコンピュータに直接接続できる手段で取り込む。または、ＲＳ２３２ＣやＵＳＢなどのケーブル接続で取り込む。移動体ブロック１１および固定位置タグブロック４０の送信アンテナ４８によってデータを「無線発信」するのか、記録メモリ４７によってデータを「メモリに保存」するのかは、使用目的と連続使用時間により選択される。
【００２８】
図４は移動体ブロック１１の有するタグブロック２０を示すブロック図である。図４を参照して、タグブロック２０の構成は基本的に図２に示した固定位置タグブロック４０と同様である。図４を参照して、タグブロック２０は、Ｘ軸，Ｙ軸，および、Ｚ軸の相互に直交した三軸に延在するフェライトコイルからなる磁界検出コイル２１ａ〜２１ｃと、磁界検出コイル２１ａ〜２１ｃにおいて所定の磁界を検出および検波する磁界検出および検波回路２２ａ〜２２ｃと、磁界検出および検波回路２２ａ〜２２ｃからの信号を入力する磁界検出部２３と、磁界検出部２３で検出した信号に基づいて磁界の検出、レベルの計算、記録動作を行なうＭＰＵ（Micro Processing Unit）２４と、ＭＰＵ２４に接続されたＦＳＫ変調高周波を出力する高周波出力回路２５と、ＧＰＳ等に基づいて時刻を生成する時刻生成回路２６あるいは１秒(単位時間)を発生するカウンタをカウントアップする経過時間を記録する回路と、記録メモリ２７と、高周波出力回路２５に接続され、外部のトリガー信号を検出したときに、自分の有する固有ＩＤを時刻とともに出力する送信アンテナ２８とを含む。
【００２９】
なお、カウントアップする方法においては特定のＩＤをカウンターリセットとして使用することにより複数のタグブロックのカウンタを同時にリセットすることが可能となる。また、メモリの初期化にも利用できる。操作者はトリガー信号として、リセットトリガーを用い、タグブロックのリセットを確認したうえでトリガーを停止した時点をスタートとすることが出来るメリットを得られる。また、カウントのためのスイッチを設け、このスイッチによる個別のリセットも可能である。なお、タグブロック２０の磁界検出コイルは、Ｘ，Ｙ，Ｚ軸のいずれか一方向に延在するフェライトコイルのみを有していてもよい。
【００３０】
次に固定位置タグブロック４０の動作について説明する。移動体ブロック１１を携帯する人あるいは移動体がトリガー信号を出力しながら固定位置タグブロック４０にその中心から所定の範囲内（たとえば、約１．５ｍ以内）に接近したとき、トリガーブロック３０から定期的に発せられる高周波磁界に反応し高周波磁界に含まれるタグブロックのＩＤ情報を解読する。固定位置タグブロック４０はエラーチェック機能を有し、ＩＤ情報に誤りが無い場合、内部の記録メモリ４７に現在時刻、固定位置タグブロック４０のＩＤ情報とトリガーブロックＩＤを書き込む。なお、この情報は電波として外部の上部装置へ送信してもよい。また、通信距離は図示のない固定位置タグブロック４０の反応感度調整、あるいは、同じく図示のないトリガーブロックの出力レベル調整で調整可能とする。
【００３１】
固定位置タグブロック４０が収集したデータを外部のパソコン等の管理装置６０に出力するときは、送信アンテナ４８を介して行なう。
【００３２】
なお、蓄積したデータを保存した記録メモリ４７を取り外せるようにし、図示のない上位の管理装置６０等に接続し、データを回収してもよい。
【００３３】
なお、上位の管理装置６０は収集されたデータを受信可能にし、スイッチによりデータのダウンロードが行えるようにしてもよい。また、１回のダウンロードで記録メモリ４７内の全データを落とすことが出来るようにしたり、図示のないメモリクリアーボタンで記録メモリ４７内のデータ消去できるようにしてもよい。
【００３４】
次に、移動体ブロック１１と固定位置タグブロック４０との動作について説明する。図５は移動体ブロック１１のＭＰＵ３１と固定位置タグブロック４０のＭＰＵ４４との動作を示すフローチャートである。図５を参照して、移動体ブロック１１はトリガーブロック３０からトリガー磁界を出力し、ある時間間隔で数メーターの半径の空間に高周波磁界を生成する（ステップＳ１１、以下ステップを省略する）。移動体ブロックの移動する空間の所定の位置には上記したようにデータ収集用の固定位置タグブロック４０が複数配置されている。
【００３５】
固定位置タグブロック４０は移動体ブロックの生成する磁界に曝された時に（Ｓ２１でＹＥＳ）移動体ブロック４０のトリガー磁界に含まれる固有のＩＤ番号(ＴＩＤ)を抽出し（Ｓ２２）、固定位置タグブロックの固有ＩＤ（以下、「ＤＩＤ：Data ID」と省略する）とペアにするとともに、時刻発生回路４６からの時刻と合わせて記録メモリ４７に記録するとともに（Ｓ２３）送信アンテナ４８を介して無線データとして外部の管理装置６０に発信する（Ｓ２４〜Ｓ２５）。なお、移動体ブロック１１はトリガーを出力後は一定時間休止する（Ｓ１２）。したがって、ＭＰＵ４４はトリガー信号検出手段、抽出手段として作動する。
【００３６】
なお、これは、記録メモリ４７に記録するか、または、送信アンテナ４８を介して無線データとして外部の管理装置６０に発信するかのいずれかを行なうようにしてもよい。記録メモリ４７に記録したときは記録メモリをある時点でまとめて回収する。
【００３７】
また、固定位置タグブロック４０と移動体ブロック１１の記録メモリ２７，４７に記録されたデータはＲＳ２３２ＣやＵＳＢなどのインターフェースを介して上位処理系に転送するかメモリを取り外して、直接、管理用のコンピュータに取り込むのが好ましい。メモリから読み込んだデータは蓄積して定期的に回収するなどでデータの処理を行なう。
【００３８】
この結果、移動体ブロック１１が固定位置タグブロック４０をどのように通過して行ったか順番と時刻により動態管理が可能になる。
【００３９】
また、固定位置タグブロック４０および移動体ブロック１１のトリガー磁界検出回路を三次元にし、強さを計測し、データと一緒に無線で送るかメモリに書き込むことで移動体ブロックと固定位置タグブロック同士の距離も計測、記録できる。
【００４０】
すなわち、両者間の距離は、トリガー磁界の強度に置き換えることが可能であるため、ＴＩＤと磁界の強度と、時刻のデータを用いれば、両者が接近しつつあるのか、離隔しつつあるのか等の位置関係を知ることができる。また、複数の固定タグブロック４０の情報を用いれば、より正確な位置情報が得られる。
【００４１】
次に、この発明の他の実施の形態について説明する。図６はこの発明の他の実施の形態を示す模式図である。この実施の形態においては、図１に示した固定位置タグブロックに加えて移動体ブロックが複数存在する点が先の実施の形態と異なる。この実施の形態においては、それぞれの移動体ブロックは自分に接近してきた移動体ブロックを検出する。
【００４２】
図６を参照して、移動体ブロック１１は固定位置タグブロック４０だけでなく、別の移動体ブロック１２をも検出する。
【００４３】
ここでも、固定位置タグブロック４０ａはＩＤ００１を有し、固定位置タグブロック４０ｂはＩＤ００２を有し、固定位置タグブロック４０ｃはＩＤ００３を有し、固定位置タグブロック４０ｄはＩＤ００４を有する。また、移動体ブロック１１はＩＤとしてＴＩＤ１００１を有し、移動体ブロック１２はＩＤとしてＴＩＤ１００２を有している。
【００４４】
移動体ブロック１１は別の移動体ブロック１２のトリガー磁界に含まれる固有のＴＩＤ１００２を検出し、自分の固有ＴＩＤ１００１とペアにするとともに、時刻発生回路２６からの時刻と合わせて記録メモリ２７に記録するとともに、送信アンテナ２８を介して無線データとして図示のない外部管理装置に発信する。
【００４５】
なお、ここでも、記録メモリ２７に記録するか、または、送信アンテナ２８を介して無線データとして図示のない外部管理装置に発信するかのいずれかを行なうようにしてもよい。記録メモリ２７に記録したときは記録メモリ２７をある時点でまとめて回収して外部の管理装置に入力する。
【００４６】
このような構成とすることにより、移動体ブロック同士の接近時間が計測できるとともに、その間隔等を分析することにより移動体ブロック同士の親密度なども計測できる。
【００４７】
ここでは、移動体ブロック１１と移動体ブロック１２とは、一方が移動体ブロックとして作動し、他方はデータ収集ブロックとして作動している。
【００４８】
次に、上記した実施の形態の応用例について説明する。ここで移動体ブロック同士、または、移動体ブロックと固定位置タグブロックが行なう無線送信はリアルタイム処理される。このようにリアルタイムで処理を行なう仕組みでは認証システムや自動ドアの開閉システムなどとの連携が可能となる。また、赤外線やレーダーなどと組み合わせ、タグを所持しない不審者の検出などが可能になる。
【００４９】
この仕組みでは多数の固定位置タグブロック４０を緻密に配置することが可能である。設備としては固定位置タグブロック４０のデータを受信する外部に設けられた管理装置と管理装置の受信アンテナを多数設置する必要があるので設置工事が必要である。無線発信を行なわず記録メモリ２７等に記憶するのみの場合は展示会場やデパートなどにおける人の興味対象の分析などが可能な人の行動パーターンの解析に有効利用できる。また、ショッピングカート等に取り付けてもよい。この場合、データ収集のための受信アンテナの配置が不要なため設備の設置時間の節約が出来きる。このため設置撤収が簡単な短期計測に適応可能である。電波を発信しない場合、高密度においても記録を消失することはない。
【００５０】
次に、移動体ブロック１１のトリガー信号を出力するまでの具体的な動作について説明する。移動体ブロック１１には、他の移動体ブロックからのトリガー信号である磁界を検出する機能を有するもの（図６の例）と有さないもの（図１の例）とが存在する。また、消費電力の削減のために、一定間隔でトリガー信号を出力するが、トリガー信号を出力するまでの時間の設定方法には、カウンタを用いた方法とコンデンサを用いた方法とがあるが、それぞれの場合について説明する。
【００５１】
図７は、磁界を検出する機能を有さない場合の移動体ブロック１１の具体的動作を示すフローチャートである。（Ａ）はカウンタを用いた場合を示し、（Ｂ）はコンデンサを用いた場合を示す。図７（Ａ）を参照して、カウンタを用いた場合は、移動体ブロック１１の図示のないスイッチがオンされると（Ｓ３１）、図示のないカウンタの値が所要値（たとえば５秒など)にセットされる（Ｓ３２）。１秒が経過するたびにカウントダウンされカウントがゼロになるのを待って、トリガー信号が出力されて（Ｓ３３〜Ｓ３６）Ｓ３２へ戻る。
【００５２】
一方、コンデンサを用いた場合は、図７（Ｂ）に示すように、移動体ブロック１１の図示のないスイッチがオンされると（Ｓ４１）、カウンタの値が所要値にセットされる（Ｓ４２）。図示のないコンデンサが充電されるとマイコン（ＭＰＵ）は休止状態に入る（Ｓ４３、Ｓ４４）。放電が完了するとマイコンが起動しカウントダウンを行う。その結果カウントがゼロになると、トリガー信号が出力される（Ｓ４５〜Ｓ４９）。その後、Ｓ４２へ戻り、再びカウントに値が設定されて処理を繰り返す。設定コンデンサを用いた場合の時間精度は悪いがカウンタを動かす必要がないので電池の消耗を軽減できる。
【００５３】
図８は磁界を検出する機能を有する場合の移動体ブロック１１の具体的動作を示すフローチャートである。（Ａ）はカウンタを用いた場合を示し、（Ｂ）はコンデンサを用いた場合を示す。図８を参照して、移動体ブロック１１の図示のないスイッチがオンされると（Ｓ５１）、図示のないカウンタの値が所要値Ｎにセットされる（Ｓ５２）。１秒×Ｎが経過するまで磁界の検出を行う（ＳＳ５３〜Ｓ５６）。この間にトリガー信号を検出すれば（Ｓ５４でＹＥＳ）、検出したトリガー信号を外部の管理装置６０へ送信するか、または、メモリに記憶し、衝突回避のためカウンタを書き換える（Ｓ５７）。その後、磁界検出タグ機能を停止し、トリガー信号を出力する（Ｓ５８，Ｓ５９）。
【００５４】
なお、コンデンサを用いた場合を図８（Ｂ）に示すが、処理内容（Ｓ６１〜Ｓ７０、Ｓ７０ａ，Ｓ７０ｂ）は図８（Ａ）と同様であるので、その説明は省略する。
【００５５】
図９は固定位置タグブロック４０の動作の詳細を示すフローチャートである。（Ａ）は時計機能付きの場合を示し、（Ｂ）は秒カウンタおよびリセット機能付きの場合を示す。
【００５６】
図９を参照して、固定位置タグブロック４０は、電池４９がセット（取付け）、または、リセットされると（Ｓ７１）、時計合わせが行なわれ（Ｓ７２）、スタンバイ状態となる（Ｓ７３）。トリガーＩＤを検出すると（Ｓ７４〜Ｓ７５）、時刻を取得し（Ｓ７６）、メモリに書込み、固定位置タグブロックのＩＤとともに、ＦＳＫ（Frequency Shift Key）で変調されて送信アンテナ４８から管理装置６０に出力される（Ｓ７７〜Ｓ７８）。
【００５７】
なお、秒カウンタおよびリセット機能付きの場合を図９（Ｂ）に示すが、処理内容（Ｓ８１〜Ｓ８９）は図９（Ａ）と同様であるので、その説明は省略する。
【００５８】
次に、この発明のさらに他の実施の形態について説明する。この実施の形態においては、上記した固定位置タグブロック４０が、たとえば、道路や工事現場などの規制や区分けを目的として置かれる円錐形のパイロン等に内蔵される。
【００５９】
このようなパイロンを用いれば次のような利用が可能になる。たとえば、クレーンの作業現場において、アームが届く範囲を囲むようにパイロンを配置し、歩行者に移動体ブロック１１を保持させる。歩行者がクレーンの作業現場に近づけば、それをパイロンのタグブロックが検出し、それをクレーンの作業者に通報する。このようにすれば、これによってクレーンの作業者が作業を中止できる。
【００６０】
なお、このような使用方法は、フォークリフトの移動範囲監視や、他の移動機械の移動範囲の監視についても利用できる。
【００６１】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００６２】
この発明に係る行動記録システムは人や物の行動や移動を容易および安価に追跡できるため、動態管理に有利に利用される。
【符号の説明】
【００６３】
１０  行動記録システム、１１  移動体ブロック、２０  タグブロック、２１ａ〜２１ｃ  フェライトコイル、２２  磁界検出および検波回路、２３  磁界検出部、２４  ＭＰＵ、３０  トリガーブロック、４０ａ〜４０ｄ  固定位置タグブロック、４１ａ〜４１ｃ  フェライトコイル、４２  磁界検出および検波回路、４３  磁界検出部、４４  ＭＰＵ。
【図１】
2010231577.tif 000003
【図２】
2010231577.tif 000004
【図３】
2010231577.tif 000005
【図４】
2010231577.tif 000006
【図５】
2010231577.tif 000007
【図６】
2010231577.tif 000008
【図７】
2010231577.tif 000009
【図８】
2010231577.tif 000010
【図９】
2010231577.tif 000011